(57)【特許請求の範囲】
【請求項１】
管体（Ｐ）の端部の開口を覆うベース部（Ｂ）と、そのベース部（Ｂ）から外径側に突出する折込み用突出部（Ｔ）とを備え、前記折込み用突出部（Ｔ）を管外面に沿う方向へ折り曲げることにより、前記開口への嵌込み時に、前記折込み用突出部（Ｔ）が管外面に形成された凹凸に係合するキャップ係合部（２５）となる端面防護キャップ。
【請求項２】
前記管体（Ｐ）の端部は管本体部（３）の一端に設けられた挿し口（１）であり、前記凹凸は前記挿し口（１）の外面に形成された挿し口突起（１ａ）によって形成され、前記キャップ係合部（２５）は、前記挿し口突起（１ａ）の前記管本体部（３）側に向く端面（１ｄ）に係合する外面係合部（２５ｃ）を備える請求項１に記載の端面防護キャップ。
【請求項３】
前記外面係合部（２５ｃ）は、前記ベース部（Ｂ）に対して前記折込み用突出部（Ｔ）の先端を折目線rを介して内側へ折り曲げて管軸直交方向とし、さらにその先端を管外面に沿う方向へ折り曲げて形成された折り込み部である請求項１又は２に記載の端面防護キャップ。
【請求項４】
管体（Ｐ）の端部の開口を覆うベース部（Ｂ）と、そのベース部（Ｂ）から外径側に突出する折込み用突出部（Ｔ）とを備え、前記折込み用突出部（Ｔ）を管内面に沿う方向へ折り曲げることにより、前記開口への嵌込み時に、前記折込み用突出部（Ｔ）が管内面に形成された凹凸に係合するキャップ係合部（１５）となり、
前記管体（Ｐ）の端部は管本体部（３）の他端に設けられた受口（２）であり、前記凹凸は前記受口（２）の内面に形成された溝（２ａ）又は突起（２ｂ）によって形成され、前記キャップ係合部（１５）は、前記溝（２ａ）又は突起（２ｂ）の前記管本体部（３）側に向く端面（２ｅ）に係合する内面係合部（１５ａ）を備え、
前記キャップ係合部（１５）は、前記内面係合部（１５ａ）よりも前記受口（２）の管端側に、外径側に突出して管内面に当接する内面当接部（１５ｂ）を備え、前記内面当接部（１５ｂ）を管内面から離れる方向へ押圧することにより、前記内面係合部（１５ａ）の前記凹凸への係合が解除される端面防護キャップ。
【請求項５】
前記内面係合部（１５ａ）は、前記ベース部（Ｂ）に対して前記折込み用突出部（Ｔ）を管内面に沿う方向へ折り曲げた際に、管内面に向く側に突出している突出部である請求項４に記載の端面防護キャップ。
【請求項６】
前記ベース部（Ｂ）と前記折込み用突出部（Ｔ）とはパルプモウルド抄製体で一体に構成されている請求項１から５のいずれか一つに記載の端面防護キャップ。
【請求項７】
請求項１から６のいずれか一つに記載の端面防護キャップの製造方法であって、
パルプ繊維を型枠によって所定の形状に抄製する工程と、その抄製品を乾燥する工程と、その抄製品をプレス成形する工程とからなる端面防護キャップの製造方法。
【発明の詳細な説明】
【技術分野】
【０００１】
この発明は、鋳鉄管、鋼管、その他の各種管体における開口端の端面防護キャップに関するものである。
【背景技術】
【０００２】
従来から、鋳鉄管や鋼管等の各種管体の端部や管内面を保護するために、その管体の開口端に、内外周面に嵌合する端面防護キャップが装着されている。
【０００３】
この端面防護キャップは、管体の輸送中や保管中に装着され、管体の端部の損傷を防止するとともに、管内に異物が入り込むことや、管内面の塗装が日光等により劣化することを防止している。
【０００４】
従来の端面防護キャップの多くは樹脂等で製作され、管体を現場に敷設する前に取り外され、通常は、廃棄処分されていた。しかし、近年の環境問題に対する意識の高まりから、樹脂製品の廃棄には環境面での各種の問題が生じていた。
【０００５】
そこで、例えば、特許文献１には、これらの端面防護キャップをパルプモウルド抄製体とすることで、廃棄後、地中で自然分解させる技術が開示されている。
【０００６】
端面防護キャップをパルプモウルド抄製体とすることで、廃棄時における環境負荷を軽減できる。また、出荷前の仕上げ塗装の際の有機溶剤などの揮発分が、キャップの微小な空隙を通じて管外へ発散できるようになり、管内に有機溶剤臭などの臭いがこもることも防止できる。さらに、パルプモウルド抄製体は軽量で比較的耐水性に富み、しかも、管体への嵌込みが容易で、仕上がりの径寸法に精度を要さないという利点もある（例えば、特許文献１参照）。
【先行技術文献】
【特許文献】
【０００７】
【特許文献１】特開２００７−２９２３０４号公報
【発明の概要】
【発明が解決しようとする課題】
【０００８】
しかし、従来の端面防護キャップでは、管体へ装着した当初は、所定の強度でしっかりと固定されていても、長期にわたって保管されていると、経年で管体への嵌め込み部分が緩んでしまう場合もある。
【０００９】
特に、パルプモウルド抄製体を採用した場合、保管場所の気温や湿度等の条件が過酷であると、経年による膨張や収縮が発生し、そのような緩みが生じる可能性もある。
【００１０】
そこで、この発明は、端面防護キャップと管体との間に緩みが生じにくいようにすることを課題とする。
【課題を解決するための手段】
【００１１】
上記の課題を解決するために、この発明は、管体の端部の開口を覆うベース部と、そのベース部から外側に突出する折込み用突出部とを備え、前記折込み用突出部を管内面又は管外面に沿う方向へ折り曲げることにより、前記開口への嵌込み時に、前記折込み用突出部が管内面又は管外面に形成された凹凸に係合するキャップ係合部となる端面防護キャップを採用した。
【００１２】
折込み用突出部の折り曲げることによって、管体側の凹凸に係合するキャップ係合部を形成したので、複雑な形状を有する種々の管体の端部の開口に合わせて、ぴったりとフィットする端面防護キャップを容易に形成することができる。
また、部材の折り曲げによってキャップ係合部を形成したので、その折り曲げ箇所の弾性力によって管体への装着時における嵌合力を強くし、管体に対して緩みが生じにくいようにすることができる。
【００１３】
このとき、キャップ係合部を管外面側に係合させる場合、折り曲げ箇所の弾性力はその管外面を押圧する方向であることが望ましい。管内面側に係合させる場合は、折り曲げ箇所の弾性力はその管内面を押圧する方向であることが望ましい。また、管軸に交差する方向の面方向を有する端面に係合させる場合は、折り曲げ箇所の弾性力は、その端面を押圧する方向であることが望ましい。
【００１４】
また、端面防護キャップの素材によっては、挿し口及び受口でのキャップ抜け防止、折込部の破れ防止のため、水溶性の糊や樹脂等の塗布や含浸で強度を持たせ、破れ防止の効果をあげることができる。ここで、例えば、端面防護キャップの素材が紙やパルプ製、その他繊維製の場合、含浸させる樹脂としては、エポキシ樹脂、ウレタン樹脂、ポリエチレン樹脂などが挙げられる。
【００１５】
管体の端部が管本体部の一端に設けられた挿し口である場合において、前記凹凸は前記挿し口の外面に形成された挿し口突起によって形成され、前記キャップ係合部は、前記挿し口突起の前記管本体部側に向く端面に係合する外面係合部を備える構成を採用できる。
【００１６】
このとき、前記外面係合部は、前記ベース部に対して前記折込み用突出部を管外面に沿う方向へ折り曲げ、さらに、その先端を管外面側へ折り曲げて形成された折り込み部である構成を採用できる。
【００１７】
管体の端部が管本体部の他端に設けられた受口である場合において、前記凹凸は前記受口の内面に形成された溝又は突起によって形成され、前記キャップ係合部は、前記溝又は突起の前記管本体部側に向く端面に係合する内面係合部を備える構成を採用できる。
【００１８】
このとき、前記内面係合部は、前記ベース部に対して前記折込み用突出部を管内面に沿う方向へ折り曲げた際に、管内面に向く側に突出している突出部である構成を採用できる。
【００１９】
また、前記キャップ係合部は、前記内面係合部よりも前記受口の管端側に、外径側に突出して管内面に当接する内面当接部を備え、前記内面当接部を管内面から離れる方向へ押圧することにより、前記内面係合部の前記凹凸への係合が解除される構成を採用できる。
【００２０】
これらの各構成からなる端面防護キャップの素材としては、例えば、樹脂やゴム等を用いてもよいが、これを紙製やパルプ製とすることもできる。紙製やパルプ製であれば、新聞紙や段ボール紙などのリサイクル材を用いることができる。また、特に、前記ベース部と前記折込み用突出部とがパルプモウルド抄製体で一体に構成されているものを採用できる。パルプモウルド抄製体の場合、その素材に、前述の水溶性の糊や樹脂等の塗布や含浸させることによる強度向上、破れ防止の効果が高い。
【００２１】
これらの各構成からなる端面防護キャップの製造方法として、パルプ繊維を型枠によって所定の形状に抄製する工程と、その抄製品を乾燥する工程と、その抄製品をプレス成形する工程とからなる端面防護キャップの製造方法を採用できる。
【発明の効果】
【００２２】
この発明は、折込み用突出部の折り曲げることによって、管体側の凹凸に係合するキャップ係合部を形成したので、複雑な形状を有する種々の管体の端部の開口に合わせて、ぴったりとフィットする端面防護キャップを容易に形成することができる。
【００２３】
また、部材の折り曲げによってキャップ係合部を形成したので、その折り曲げ箇所の弾性力によって管体への装着時における嵌合力を強くし、管体に対して緩みが生じにくいようにすることができる。
【図面の簡単な説明】
【００２４】
【図１】この発明の一実施形態を示す受口用端面防護キャップの斜視図
【図２】同実施形態の受口用端面防護キャップの管体への装着状態を示し、（ａ）は図１のＡ−Ａ断面に相当する方向の断面図、（ｂ）は図１のＢ−Ｂ断面に相当する方向の断面図
【図３】管体への装着前の受口用端面防護キャップを示し、（ａ）は斜視図、（ｂ）は（ａ）のＣ−Ｃ断面図、（ｃ）は（ａ）のＤ−Ｄ断面図
【図４】管体への装着前の受口用端面防護キャップを示し、（ａ）は底面図、（ｂ）は（ａ）のＥ−Ｅ断面図、（ｃ）は（ａ）のＦ−Ｆ断面図
【図５】一実施形態の挿し口用端面防護キャップの管体への装着状態を示す断面図
【図６】同実施形態の挿し口用端面防護キャップを示し、（ａ）は管体への装着前の斜視図、（ｂ）は管体への装着に際し係合部を折り込んだ状態を示す斜視図
【図７】管体への装着前の挿し口用端面防護キャップを示し、（ａ）は底面図、（ｂ）は正面図
【図８】同実施形態の装着前の挿し口用端面防護キャップを示し、（ａ）は平面図、（ｂ）は断面図
【発明を実施するための形態】
【００２５】
この発明の実施形態を、図面に基づいて説明する。図１〜図４の実施形態は、管体Ｐの管本体部（直管部）３の他端に設けられた受口２に用いられる受口用端面防護キャップ１０の例である。図５〜図８の実施形態は、管体Ｐの管本体部（直管部）３の一端に設けられた挿し口１に用いられる挿し口用端面防護キャップ２０の例である。
【００２６】
これらの実施形態では、管本体部３として直管部を有する管体Ｐを想定しているが、直管以外の各種管体Ｐの受口２や挿し口１にも、もちろん使用できる。
【００２７】
（受口用端面防護キャップ１０）
図１に、管体Ｐに装着する準備ができた状態（以下、「装着準備状態」と称する。）の受口用端面防護キャップ１０を示す。図２に、管体Ｐの受口２に装着された状態（以下、「装着状態」と称する。）の受口用端面防護キャップ１０を示す。図３に、受口用端面防護キャップ１０を装着準備状態にする前の状態（以下、「未使用状態」と称する。）から装着準備状態にする手順を示す。
【００２８】
受口用端面防護キャップ１０は、管体Ｐの受口２の開口を覆うベース部Ｂと、そのベース部Ｂから外側に突出する折込み用突出部Ｔとを備える。この実施形態では、受口用端面防護キャップ１０はパルプモウルド抄製体で、その全域にわたって数ｍｍ程度の厚さを有する一体の部材として構成されている。
【００２９】
ベース部Ｂは、受口２への装着時に、管内の最も奥側に位置するこことなる端壁部１１と、その端壁部１１の周囲から受口２の管端側に向かって立ち上がる周壁部１２とを備える。
【００３０】
また、端壁部１１の中央、すなわち、受口２への装着時に管軸付近に位置することとなる部分には、その端壁部１１から受口２の管端側に向かって立ち上がる突出部１３を備える。
【００３１】
突出部１３は、受口２への装着時に、管外側に位置するこことなる端壁部１３ａと、その端壁部１３ａの周囲から、管内側の端壁部１１に向かって立ち上がる周壁部１３ｂを備える。
【００３２】
この実施形態では、周壁部１２は、図１及び図２（ａ）に示すように、管軸直交方向に対して、管軸に向く側で、且つ、管内に向く側に鋭角の傾斜角を成す円錐面からなるテーパ部となっている。テーパ部は、管外側から管内側へ向かって徐々に小径となっているので、その押込み具合を調整することで、受口２の内面に対して、ぴったりと当接させやすい。テーパ部の傾斜角度は、例えば、８０度とすることができるが、他の角度であってもよい。また、テーパ部を設けずに、円筒状の周壁部１２としてもよい。
【００３３】
また、この実施形態では、突出部１３の周壁部１３ｂは、図１及び図２（ａ）に示すように、管軸直交方向に対して、管軸に向く側で、且つ、管外に向く側に鋭角の傾斜角を成す円錐面からなるテーパ部となっている。テーパ部は、管内側から管外側へ向かって徐々に小径となっているので、受口２への着脱の際に突出部１３を掴みやすい。テーパ部の傾斜角度は、同じく、例えば、８０度とすることができるが、他の角度であってもよい。また、テーパ部を設けずに、円筒状の周壁部１３ｂとしてもよい。
【００３４】
また、周壁部１２の裾には、外径側に突出するフランジ部１６が、全周にわたって設けられている。そのフランジ部１６の一部に、端壁部１１側へ盛り上がる当接部１４が設けられている。当接部１４は、受口２への装着時に、その受口２の管端面２ｃに当接する。
【００３５】
フランジ部１６には、当接部１４を設けた方位以外の部分に、折目線ｒを介して、折込み用突出部Ｔが設けられている。この折込み用突出部Ｔを、折目線ｒを介して端壁部１１側へ、すなわち、管内面に沿う方向へ折り曲げることにより、受口２の開口への嵌込み時に、管内面に形成された凹凸に係合するキャップ係合部１５が形成される。
【００３６】
折込み用突出部Ｔは、図３及び図４に示すように、未使用状態で、フランジ部１６から外径側へ突出する平面視コ字状の枠部１５ｃによって保持されている。
【００３７】
折込み用突出部Ｔは、枠部１５ｃの内側に、受口２の内面に形成された凹凸に係合する内面係合部１５ａと、内面係合部１５ａよりも受口２の管端側において、外径側に突出して管内面に当接する内面当接部１５ｂを備える。すなわち、折込み用突出部Ｔは、折曲げ前の未使用状態において、内径側から外径側に向かって内面当接部１５ｂ、内面係合部１５ａが順に位置する。内面係合部１５ａと内面当接部１５ｂは、それぞれ、装着準備状態で外径側に突出するように膨らんでいる。
【００３８】
受口２には、図２に示すように、その内面に形成された溝２ａ及び突起２ｂによって凹凸が形成されている。溝２ａは、継手用のロックリングを収容するための全周溝である。突起２ｂは、ロックリング用の溝２ａの手前に位置する全周のあご部である。
【００３９】
受口用端面防護キャップ１０を装着準備状態とするためには、図３（ｂ）に示すように、折込み用突出部Ｔを折目線ｒで折り曲げる。
【００４０】
内面係合部１５ａは、ベース部Ｂに対して折込み用突出部Ｔを管内面に沿う方向へ折り曲げた際に外径方向へ、すなわち、管内面に向く側に突出している突出部である。この突出部が、溝２ａの管本体部３側に向く端面２ｅ、あるいは、その端面２ｅと突起２ｂの内面２ｄとの稜線部に当接し係合する。
【００４１】
また、内面当接部１５ｂは、内面係合部１５ａよりも受口２の管端側に位置し、外径側に突出しているので、突起２ｂの内面２ｄに当接する。内面当接部１５ｂは、突起２ｂの内面２ｄに当接する部分と、突起２ｂの内面２ｄに当接せず、受口２の管端面２ｃよりも外側にはみ出している部分とがあるので、このはみ出した部分は手で触れやすい。
このため、この内面当接部１５ｂのはみ出した部分を管内面から離れる方向へ押圧することにより、周壁部１２やキャップ係合部１５の部材が弾性変形し、内面係合部１５ａは内側へ移動し、受口２内面への係合が解除される。このため、受口用端面防護キャップ１０の取り外し、取り付けが容易である。
【００４２】
折込み用突出部Ｔの折目線ｒを挟んで内側はフランジ部１６であり、このフランジ部１６が、ベース部Ｂに対するキャップ係合部１５の折り返し部１５ｅとなっている。内面係合部１５ａと内面当接部１５ｂとの間は、内径方向へ突出する谷部１５ｄである。
【００４３】
このように、ベース部Ｂに対して折込み用突出部Ｔを折り曲げることによって、管体Ｐ側の凹凸に係合するキャップ係合部１５が形成されるので、複雑な形状を有する種々の管体の受口２に対して、ぴったりとフィットする受口用端面防護キャップ１０を容易に形成することができる。
【００４４】
また、部材の折り曲げによってキャップ係合部１５を形成したので、その折り曲げ箇所である折り返し部１５ｅよりも外側の部材が、折り曲げる前の状態に戻ろうとする弾性力、すなわち、外径側へ広がろうとする弾性力が作用する。その弾性力によって、管体Ｐの内面への嵌合力を強くし、管体Ｐに対して緩みが生じにくいようにすることができる。
【００４５】
（挿し口用端面防護キャップ）
図５〜図８に、挿し口用端面防護キャップ２０を示す。図５は、管体Ｐの挿し口１への装着状態の挿し口用端面防護キャップ２０であり、図６は、挿し口用端面防護キャップ２０の未使用状態から装着準備状態にする手順を示す。図７及び図８は、同じく未使用状態の挿し口用端面防護キャップ２０を示す。
【００４６】
挿し口用端面防護キャップ２０は、管体Ｐの挿し口１の開口を覆うベース部Ｂと、そのベース部Ｂから外側に突出する折込み用突出部Ｔとを備える。この実施形態では、挿し口用端面防護キャップ２０は、同じくパルプモウルド抄製体で、その全域にわたって数ｍｍ程度の厚さを有する一体の部材として構成されている。
【００４７】
挿し口１には、図５に示すように、その外面に全周にわたって形成された挿し口突起１ａによって、管本体部３の外面との間に凹凸が形成されている。
【００４８】
ベース部Ｂは、挿し口１への装着時に、その周縁部が管端面に接する端壁部２１と、その端壁部２１の周囲から管本体部３側に向かって立ち上がる周壁部２２とを備える。
【００４９】
この実施形態では、周壁部２２は、端壁部２１から遠ざかるにつれて徐々に拡径する形状となっている。その周壁部２２は、図５に示すように、挿し口１の外面に形成された挿し口突起１ａの外面１ｃ，１ｂに沿う形状となっている。挿し口突起１ａの外面１ｃ，１ｂの傾斜角が途中で変化していることに対応して、周壁部２２ｃ，２２ｂの傾斜角も、途中で同じだけ変化した形状となっている。このため、周壁部２２と挿し口突起１ａの外面１ｃ，１ｂとは、その全域にわたってぴったりと当接しやすい。
【００５０】
また、周壁部２２の裾には、外径側に突出するフランジ部２６が、全周にわたって設けられている。
【００５１】
フランジ部２６には、折目線ｒを介して、折込み用突出部Ｔが設けられている。折込み用突出部Ｔは、図６〜図８に示すように、フランジ部２６から外径側へ突出する平面視Ｔ字状の板状部材である。
【００５２】
この折込み用突出部Ｔを折目線ｒを介して内側へ折り曲げることにより、挿し口１への嵌込み時に、管外面に形成された凹凸に係合するキャップ係合部２５が形成される。
【００５３】
折込み用突出部Ｔは、未使用状態で、フランジ部２６に折目線ｒを介して外側に設けられる折り返し部２５ｂ、外面係合部２５ｃを順に備える。また、折目線ｒを挟んで周壁部２２側のフランジ部２６は、キャップ係合部２５を支持する張り出し部２５ａとして機能する。外面係合部２５ｃは、挿し口突起１ａの管本体部３側に向く端面１ｄと、管本体部３の外面に係合する。
【００５４】
挿し口用端面防護キャップ２０を、未使用状態から装着準備状態とするためには、ベース部Ｂに対して折込み用突出部Ｔの先端を折目線rを介して内側へ折り曲げて管軸直交方向とし、さらに、その先端を折目線ｒを介して内側へ、すなわち、管外面に沿う方向へ折り曲げて折り込み部を形成し、その先端の折り込み部を、外面係合部２５ｃとする。
【００５５】
折り返し部２５ｂは、ベース部Ｂの外径方向に突出する張り出し部２５ａに対して内径方向へ折り曲げられた折り込み部である。さらに、外面係合部２５ｃは、折り返し部２５ｂから挿し口１の管端部側に折り曲げられた折り込み部である。これらの折り込み部が、挿し口突起１ａの管本体部３側に向く端面１ｄに当接し係合する。また、これらの折り込み部が、その端面１ｄの近傍において、管体Ｐの外面に係合する。
【００５６】
外面係合部２５ｃは、図６（ｂ）に示すように、周壁部２２の内面に沿って、及び、挿し口突起１ａの外面に沿って、周方向に伸びる帯状の部材である。このため、管体Ｐと挿し口用端面防護キャップ２０とを管周方向に沿ってしっかりと保持することができる。外面係合部２５ｃの周方向への長さは、管周全体に対して１／２以上、３／４以下とすることが望ましい。
【００５７】
このように、ベース部Ｂに対して折込み用突出部Ｔを折り曲げることによって、管体Ｐ側の凹凸に係合するキャップ係合部２５が形成されるので、複雑な形状を有する種々の管体の挿し口１に対して、ぴったりとフィットする挿し口用端面防護キャップ２０を容易に形成することができる。
【００５８】
また、部材の折り曲げによってキャップ係合部２５を形成したので、その折り曲げ箇所である折り返し部２５ｂ、外面係合部２５ｃが、折り曲げる前の状態に戻ろうとする弾性力、すなわち、管外面や挿し口突起１ａの端面１ｄを押圧しようとする弾性力が生じる。この弾性力によって、管体Ｐの外面や端面１ｄへの嵌合力を強くし、管体Ｐに対して緩みが生じにくいようにすることができる。
【００５９】
（端面防護キャップの製造方法、その他）
これらの実施形態では、端面防護キャップ１０，２０をパルプモウルド抄製体で構成した。すなわち、端面防護キャップ１０，２０を構成するベース部Ｂと折込み用突出部Ｔとはパルプモウルド抄製体で一体の部材として構成されている。
【００６０】
この端面防護キャップの製造は、パルプ繊維を型枠によって所定の形状に抄製する工程と、その抄製品を乾燥する工程と、その抄製品をプレス成形する工程とを経て行われる。乾燥する工程とプレス成形する工程とは同じ工程で行うこともできる。
【００６１】
抄製作業は、パルプ繊維と水とを水槽中で混合し（例えば、繊維分約３ｗｔ％）、撥水剤（ロジン乳化液）を添加（例えば、繊維分に対し０．３〜１．５ｗｔ％）してモウルド液とする。水槽中に、網体からなる成形面を有する抄造型、及び、バキューム吸引型を浸漬する。抄造型の吸引孔を介して水を吸引除去することにより、網体からなる成形面にパルプ繊維を吸着させてパルプモウルド成形体を抄造する。
【００６２】
ついで、抄造型より離型したパルプモウルド成形体を一対のプレス成形型によって両面より加熱・加圧する。これにより、端面防護キャップ１０，２０を製造することができる。
【００６３】
折目線ｒは、プレス成形時に同時に形成することができる。このようなプレス成形を行ったことにより、端面防護キャップ１０，２０の素材の緻密化、寸法精度の向上を図ることができる。
【００６４】
また、撥水剤の作用により、管体Ｐに装着された端面防護キャップ１０，２０は、一定の期間（例えば、約６ヶ月）は撥水性を発揮し、雨水の吸収を抑えることができる。また、紙製品であるがゆえ、管内面塗装時の溶剤の管外への発散性にも優れている。
【００６５】
これらの実施形態では、受口用端面防護キャップ１０、挿し口用端面防護キャップ２０をパルプモウルド抄製体で構成したが、この素材には限定されず、他の素材を用いてもよい。例えば、溶剤の管外への発散性を求める必要がない場合には、ポリエチレン等の各種樹脂や、ゴム等を採用してもよい。
【符号の説明】
【００６６】
１  挿し口
１ａ  挿し口突起
１ｂ，１ｃ  外面
１ｄ  端面
１ｅ  管端面
２  受口
２ａ  溝
２ｂ  突起（受口内面突起）
２ｃ  管端面
２ｄ  内面
２ｅ  端面
３  管本体部（直管部）
１０  キャップ（受口用端面防護キャップ）
１１  端壁部
１２  周壁部
１３  突出部
１３ａ  端壁部
１３ｂ  周壁部
１４  当接部
１５  係合部
１５ａ  内面係合部
１５ｂ  内面当接部
１５ｃ  枠部
１５ｄ  谷部
１５ｅ  折り返し部
１６  フランジ部
２０  キャップ（挿し口用端面防護キャップ）
２１  端壁部
２２  周壁部
２５  係合部
２５ａ  張り出し部
２５ｂ  折り返し部
２５ｃ  外面係合部
２６  フランジ部
Ｂ  ベース部
Ｔ  折込み用突出部
Ｐ  管体
【図１】
0006392564.tif 000002
【図２】
0006392564.tif 000003
【図３】
0006392564.tif 000004
【図４】
0006392564.tif 000005
【図５】
0006392564.tif 000006
【図６】
0006392564.tif 000007
【図７】
0006392564.tif 000008
【図８】
0006392564.tif 000009